(57)【要約】【課題】  ２種類のヒューズの外形形態及びその端子形態が異なる場合においても選択的に装着できる電気接続箱等を提供する。【解決手段】  ベース本体４にベース側端子８及び第１ヒューズキャビティ部６，７を設け、この第１ヒューズキャビティ部６，７にヒュージブルリンクを装着することによりヒュージブルリンクのヒューズ側端子がベース側端子８に接続される電気接続箱において、ベース側端子８に中継端子１２Ａ，１２Ｂのベース用中継端子部１２ａを接続自在にすると共に、ベース本体４にアダプタケース１３を装着自在にし、このアダプタケース１３の第２ヒューズキャビティ部１３ｂ，１３ｂ′に第１ヒューズと形態の異なるブレード型ヒューズ３Ａ，３Ｂを装着することでブレード型ヒューズ３Ａ，３Ｂのヒューズ側端子１１を中継端子１２Ａ，１２Ｂのヒューズ用中継端子部１２ｂ，１２ｂ′に接続するようにした。【選択図】      図２
2005209509.tif 000002
【特許請求の範囲】
【請求項１】
ベース本体にベース側端子及び第１ヒューズキャビティ部を設け、この第１ヒューズキャビティ部に第１ヒューズを装着することで該第１ヒューズのヒューズ側端子が前記ベース側端子に接続されるようにした電気接続箱において、
前記ベース側端子に中継端子のベース用中継端子部を接続自在にすると共に、前記ベース本体にアダプタケースを装着自在にし、このアダプタケースの第２ヒューズキャビティ部に前記第１ヒューズと形態の異なる第２ヒューズを装着自在にすることで該第２ヒューズのヒューズ側端子を前記中継端子のヒューズ用中継端子部に接続するようにしたことを特徴とする電気接続箱。
【請求項２】
請求項１記載の電気接続箱であって、
前記ベース用中継端子部と前記ヒューズ用中継端子部とは連結部を介して連結され、この連結部を前記ベース用中継端子部及び前記ヒューズ用中継端子部とほぼ同じ断面積を有するように形成したことを特徴とする電気接続箱。
【請求項３】
請求項１の電気接続箱であって、
前記ベース用中継端子部は音叉形状に形成され、前記ヒューズ用中継端子部は弾性舌片形状に形成されたことを特徴とする電気接続箱。
【請求項４】
請求項１記載の電気接続箱であって、
前記第１ヒューズは、溶断部を含めてブスバーを使用したヒュージブルリンクであり、前記第２ヒューズは、溶断部に可溶体を使用したブレード型ヒューズであることを特徴とする電気接続箱。
【請求項５】
請求項１記載の電気接続箱であって、
前記第１ヒューズは、溶断部に可溶体を使用したブレード型ヒューズであり、第２ヒューズは、溶断部を含めてブスバーを使用したヒュージブルリンクであることを特徴とする電気接続箱。
【請求項６】
ベース本体のベース側端子に接続されるベース用中継端子部と第２ヒューズのヒューズ側端子が接続されるヒューズ用中継端子部とを有する中継端子と、前記ベース本体に装着され、且つ、第１ヒューズとは異なる形態の第２ヒューズを装着自在にする第２ヒューズキャビティ部とを有したアダプタケースとを備え、
前記ベース側端子に前記中継端子のベース用中継端子部を接続自在にすると共に、前記ベース本体にアダプタケースを装着自在にし、このアダプタケースの第２ヒューズキャビティ部に前記第１ヒューズと形態の異なる第２ヒューズを装着自在にすることで前記第２ヒューズのヒューズ側端子を前記中継端子のヒューズ用中継端子部に接続するようにしたことを特徴とするヒューズ変換アダプタ。
【請求項７】
ベース本体の第１ヒューズ用のベース側端子に接続されるベース用中継端子部と、第１ヒューズと形態が異なる第２ヒューズのヒューズ側端子が接続されるヒューズ用中継端子部とを有したことを特徴とする中継端子。
【発明の詳細な説明】
【技術分野】
【０００１】
本発明は、形態の異なるヒューズが兼用できる電気接続箱、及び、形態の異なるヒューズを装着する際に使用するヒューズ変換アダプタ及び中継端子に関する。
【背景技術】
【０００２】
例えば、電気接続箱には、そのベース本体にベース側端子及びヒューズキャビティが設けられ、ヒューズキャビティにヒューズを装着することによりヒューズのヒューズ側端子とベース側端子が接続されるようになっている。従って、搭載されるヒューズはベース本体のヒューズキャビティ及びベース側端子に適合する所定形態のものに限られる。
【０００３】
ところで、近年では電気接続箱のベース本体を含めた部品の共有化が図られる一方で、搭載するヒューズに関しては種々の事情により統一化が遅れている。このような状況下においては、共有化できるベース本体に対して適合する形態のヒューズの他に、適合しない形態のヒューズをも搭載できるようにすることが求められている。つまり、電気接続箱のベース本体側を共有化すればベース本体などの金型費、管理費等の部分でコストダウンを図るためである。
【０００４】
例えば、２種類のヒューズを兼用できるヒューズ保持構造が図１９に開示されている（例えば特許文献１参照。）。このヒューズ保持構造は、図１９に示すように、ベース側端子１００とヒューズキャビティ１０１とが設けられたヒューズブロック１０２と、このヒューズブロック１０２に装着され、ミニヒューズ用キャビティ１０３を有するホルダ１０４とを備えている。
【０００５】
そして、図示しない定形ヒューズを使用する場合には、定形ヒューズをヒューズブロック１０２のヒューズキャビティ１０１に直接装着する。この装着によって定形ヒューズの一対のヒューズ側端子が一対のベース側端子１００，１００に接続される。また、ミニヒューズ１０５を使用する場合には、ヒューズブロック１０２にホルダ１０４を装着し、ミニヒューズ１０５をホルダ１０４のミニヒューズ用キャビティ１０３に装着する。この装着によってミニヒューズ１０５の一対のヒューズ側端子１０５ａ，１０５ａが一対のベース側端子１００，１００に接続される。
【特許文献１】特開平６−１５０８０６号公報
【特許文献２】特開平１１−５５８２６号公報
【発明の開示】
【発明が解決しようとする課題】
【０００６】
しかしながら、前記従来のヒューズ保持構造では、定形ヒューズとミニヒューズ１０５が共にヒューズブロック１０２側のベース側端子１００に接続されるため、定形ヒューズとミニヒューズ１０５のヒューズ側端子１０５ａの外形形態及び接続形態が異なる場合には兼用できない。つまり、定形ヒューズのヒューズ側端子がオス端子で、ミニヒューズ１０５のヒューズ側端子１０５ａがメス端子の場合や、定形ヒューズとミニヒューズ１０５のオス・メス形態が同じでも双方の一対のヒューズ側端子１０５ａの間隔・端子向き等が異なる場合には兼用できない。
【０００７】
そこで、本発明は、前記した課題を解決すべくなされたものであり、２種類のヒューズの外形形態及びその端子形態が異なる場合においても選択的に装着できる電気接続箱、その際に使用するヒューズ変換アダプタ及び中継端子を提供することを目的とする。
【課題を解決するための手段】
【０００８】
請求項１の発明は、ベース本体にベース側端子及び第１ヒューズキャビティ部を設け、この第１ヒューズキャビティ部に第１ヒューズを装着することで前記第１ヒューズのヒューズ側端子が前記ベース側端子に接続されるようにした電気接続箱において、前記ベース側端子に中継端子のベース用中継端子部を接続自在にすると共に、前記ベース本体にアダプタケースを装着自在にし、このアダプタケースの第２ヒューズキャビティ部に前記第１ヒューズと形態の異なる第２ヒューズを装着自在にすることで該第２ヒューズのヒューズ側端子を前記中継端子のヒューズ用中継端子部に接続するようにしたことを特徴とする。
【０００９】
この電気接続箱では、第１ヒューズを使用する場合に、中継端子及びアダプタケースを装着することなく第１ヒューズを直接にベース本体の第１ヒューズキャビティ部に装着し、この装着によって第１ヒューズのヒューズ側端子がベース側端子に接続され、また、第２ヒューズを使用する場合に、中継端子及びアダプタケースを装着して第２ヒューズをアダプタケースの第２ヒューズキャビティ部に装着し、この装着によって第２ヒューズのヒューズ側端子が中継端子のヒューズ用中継端子部に接続される。
【００１０】
請求項２の発明は、請求項１記載の電気接続箱であって、前記ベース用中継端子部と前記ヒューズ用中継端子部とは連結部を介して連結され、この連結部を前記ベース用中継端子部及び前記ヒューズ用中継端子部とほぼ同じ断面積を有するように形成したことを特徴とする。
【００１１】
この電気接続箱では、請求項１の発明の作用に加え、連結部が他の箇所と同程度の通電電流の許容値を有する。
【００１２】
請求項３の発明は、請求項１の電気接続箱であって、前記ベース用中継端子部は音叉形状に形成され、前記ヒューズ用中継端子部は弾性舌片形状に形成されたことを特徴とする。
【００１３】
この電気接続箱では、請求項１の発明の作用に加え、中継端子が簡易な構造になる。
【００１４】
請求項４の発明は、請求項１記載の電気接続箱であって、前記第１ヒューズは、溶断部を含めてブスバーを使用したヒュージブルリンクであり、前記第２ヒューズは、溶断部に可溶体を使用したブレード型ヒューズであることを特徴とする。
【００１５】
この電気接続箱では、請求項１の発明と同様な作用が得られる。
【００１６】
請求項５の発明は、請求項１記載の電気接続箱であって、前記第１ヒューズは、溶断部に可溶体を使用したブレード型ヒューズであり、第２ヒューズは、溶断部を含めてブスバーを使用したヒュージブルリンクであることを特徴とする。
【００１７】
この電気接続箱では、請求項１の発明と同様な作用が得られる。
【００１８】
請求項６の発明は、ベース本体のベース側端子に接続されるベース用中継端子部と第２ヒューズの第２ヒューズ側端子が接続されるヒューズ用中継端子部とを有する中継端子と、前記ベース本体に装着され、且つ、第１ヒューズとは異なる形態の第２ヒューズを装着自在にする第２ヒューズキャビティ部とを有したアダプタケースとを備え、前記ベース側端子に中継端子のベース用中継端子部を接続自在にすると共に、前記ベース本体にアダプタケースを装着し、このアダプタケースの第２ヒューズキャビティ部に前記第１ヒューズと形態の異なる前記第２ヒューズを装着自在にすることで前記第２ヒューズのヒューズ側端子を前記中継端子のヒューズ用中継端子部に接続するようにしたことを特徴とするヒューズ変換アダプタである。
【００１９】
このヒューズ変換アダプタでは、第１ヒューズを使用する場合に、中継端子及びアダプタケースを装着することなく第１ヒューズを直接にベース本体の第１ヒューズキャビティ部に装着し、この装着によって第１ヒューズのヒューズ側端子をベース側端子に接続し、第２ヒューズを使用する場合に、中継端子及びアダプタケースを装着して第２ヒューズをアダプタケースの第２ヒューズキャビティ部に装着し、この装着によって第２ヒューズのヒューズ側端子が中継端子のヒューズ用中継端子部に接続される。
【００２０】
請求項７の発明は、ベース本体の第１ヒューズ用のベース側端子に接続されるベース用中継端子部と、第１ヒューズと形態が異なる第２ヒューズのヒューズ側端子が接続されるヒューズ用中継端子部とを有したことを特徴とする中継端子である。
【００２１】
この中継端子では、第１ヒューズを使用する場合に、中継端子を装着することなく第１ヒューズのヒューズ側端子をベース側端子に接続し、第２ヒューズを使用する場合には中継端子を装着して第２ヒューズのヒューズ側端子を中継端子のヒューズ用中継端子部に接続するものであり、第２ヒューズが中継端子を介してベース側端子に接続される。
【発明の効果】
【００２２】
請求項１の発明によれば、第１ヒューズを使用する場合に、中継端子及びアダプタケースを装着することなく第１ヒューズを直接にベース本体の第１ヒューズキャビティ部に装着し、この装着によって第１ヒューズのヒューズ側端子がベース側端子に接続され、また、第２ヒューズを使用する場合に、中継端子及びアダプタケースを装着して第２ヒューズをアダプタケースの第２ヒューズキャビティ部に装着し、この装着によって第２ヒューズのヒューズ側端子が中継端子のヒューズ用中継端子部に接続され、第２ヒューズが中継端子を介してベース側端子に接続される。従って、２種類のヒューズの外形形態及びその端子形態が異なる場合においても選択的に装着することができる。
【００２３】
請求項２の発明によれば、連結部が他の箇所と同程度の通電電流の許容値を有するため、強電用に適している。
【００２４】
請求項３の発明によれば、中継端子を簡易な構造にでき、低コスト化できる。
【００２５】
請求項４の発明によれば、第１ヒューズがヒュージブルリンクであり、第２ヒューズがブレード型ヒューズである場合について、請求項１の発明と同様な効果が得られる。
【００２６】
請求項５の発明によれば、第１ヒューズがブレード型ヒューズであり、第２ヒューズがヒュージブルリンクである場合について、請求項１の発明と同様な効果が得られる。
【００２７】
請求項６の発明によれば、第１ヒューズを使用する場合に、中継端子及びアダプタケースを装着することなく第１ヒューズを直接にベース本体の第１ヒューズキャビティ部に装着し、この装着によって第１ヒューズのヒューズ側端子をベース側端子に接続し、第２ヒューズを使用する場合に、中継端子及びアダプタケースを装着して第２ヒューズをアダプタケースの第２ヒューズキャビティ部に装着し、この装着によって第２ヒューズのヒューズ側端子が中継端子のヒューズ用中継端子部に接続され、第２ヒューズが中継端子を介してベース側端子に接続される。従って、２種類のヒューズの外形形態及びその端子形態が異なる場合においても選択的に装着することができる。
【００２８】
請求項７の発明によれば、第１ヒューズを使用する場合に、中継端子を装着することなく第１ヒューズのヒューズ側端子をベース側端子に接続し、第２ヒューズを使用する場合に、中継端子を装着して第２ヒューズのヒューズ側端子を中継端子のヒューズ用中継端子部に接続するものであり、第２ヒューズが中継端子を介してベース側端子に接続される。従って、２種類のヒューズの端子形態が異なる場合においても選択的に装着することができる。
【発明を実施するための最良の形態】
【００２９】
以下、本発明の実施形態を図面に基づいて説明する。
【００３０】
図１〜図１２は本発明の第１実施形態を示し、図１はヒュージブルリンクを装着する場合を示す電気接続箱の分解斜視図、図２はブレード型ヒューズを装着する場合を示す電気接続箱の分解斜視図、図３は大容量対応の中継端子の斜視図、図４（ａ）は同中継端子の平面図、図４（ｂ）は同中継端子の正面図、図４（ｃ）は同中継端子の側面図、図５は大容量で小型のヒュージブルリンクの装着前を示す断面図、図６は大容量で小型のヒュージブルリンクの装着状態を示す断面図、図７は大容量で大型のヒュージブルリンクの装着前を示す断面図、図８は大容量で大型のヒュージブルリンクの装着状態を示す断面図、図９は大容量で小型のブレード型ヒューズの装着前を示す断面図、図１０は大容量で小型のブレード型ヒューズの装着状態を示す断面図を示す断面図、図１１は大容量で大型のブレード型ヒューズの装着前を示す断面図、図１２は大容量で大型のブレード型ヒューズの装着状態を示す断面図である。
【００３１】
図１及び図２において、電気接続箱１は、第１ヒューズである大容量で大，小型のヒュージブルリンク２Ａ，２Ｂと、第２ヒューズである大容量で大，小型のブレード型ヒューズ（商品名：マキシヒューズ）３Ａ，３Ｂとを選択的に合成樹脂製のベース本体４に装着できるようになっている。これら大容量で大，小型のヒュージブルリンク２Ａ，２Ｂを装着する場合にはベース本体４に直接に装着し、大容量で大，小型のブレード型ヒューズ３Ａ，３Ｂを装着する場合にはヒューズ変換アダプタ５をベース本体４に取り付けて装着するようになっている。
【００３２】
図１、図２、図５〜図１２に示すように、電気接続箱１のベース本体４にはキャビティ群が２列一体形成され、この各キャビティ群は１つの大容量で大型用の第１ヒューズキャビティ部６と３つの大容量で小型用の第１ヒューズキャビティ部７を備えている。大容量で大型用の第１ヒューズキャビティ部６は大容量で大型のヒュージブルリンク２Ａを、大容量で小型用の第１ヒューズキャビティ部７は大容量で小型のヒュージブルリンク２Ｂを、それぞれ収容できる大きさ及び形状に形成されている。大容量で大，小型用の各第１ヒューズキャビティ部６，７内には一対のベース側端子８，８がそれぞれ配置されており、各ベース側端子８は平板状のオス端子として形成されている。また、各キャビティ群の外周には係止溝９が形成されている。
【００３３】
大容量で大，小型の各ヒュージブルリンク２Ａ，２Ｂは、所定形状のブスバーより導電路（図示せず）、溶断部（図示せず）及び一対のヒューズ側端子１０，１０が形成されている。この各ヒューズ側端子１０は例えば音叉形状のメス端子として形成されている。
【００３４】
大容量で大，小型の各ブレード型ヒューズ３Ａ，３Ｂは、一対のヒューズ側端子１１，１１とこれらの間に介在された溶断部（図示せず）とを有し、溶断部には可溶体が使用されている。各ヒューズ側端子１１は平板状のオス端子として形成されている。尚、この第１実施形態の大型のブレード型ヒューズ３Ａと小型のブレード型ヒューズ３Ｂは、各ヒュージブルリンク２Ａ，２Ｂと同様に大容量であるが、各ヒュージブルリンク２Ａ，２Ｂとは異なる外形寸法及び外形形状を有している。
【００３５】
ヒューズ変換アダプタ５は、中継端子１２Ａ，１２Ｂとアダプタケース１３とから構成される。中継端子１２Ａ，１２Ｂは、大容量で大小型対応の２種類が有り、選択的に使用されるようになっている。大容量で小型対応の中継端子１２Ｂは、図３及び図４に示すように、大容量で小型の第１ヒューズキャビティ部７内のベース側端子８に接続されるベース用中継端子部１２ａと、大容量で小型のブレード型ヒューズ３Ｂのヒューズ側端子１１が接続されるヒューズ用中継端子部１２ｂ′と、これらを連結する連結部１２ｃとから導電金属プレートによって一体に形成されている。ベース用中継端子部１２ａ及びヒューズ用中継端子部１２ｂ′は、共に弾性舌片形状のメス端子として形成され、且つ、その端子挿入向きが互いに直交方向に配置されている。
【００３６】
また、大容量で大型対応の中継端子１２Ａは、図２、図１１及び図１２に示すように、大容量で小型対応のものと同様に、ベース用中継端子部１２ａ、ヒューズ用中継端子部１２ｂ及びこれらを連結する連結部１２ｃとから構成されている。但し、ヒューズ用中継端子部１２ｂの外形寸法が大容量で大型の第１ヒューズキャビティ部６内のベース側端子８に接続できるようになっている。
【００３７】
アダプタケース１３は、図２、図５〜図１２に示すように、ベース本体４のキャビティ群を覆うキャビティ覆い部１３ａと、このキャビティ覆い部１３ａの上方に配置された４つの第２ヒューズキャビティ部１３ｂ，１３ｂ′とを備えている。このキャビティ覆い部１３ａの適所には係止突起１３ｃが設けられている。そして、この係止突起１３ｃがベース本体４の係止溝９に係止されることによってアダプタケース１３がベース本体４に装着されるようになっている。各第２ヒューズキャビティ部１３ｂ，１３ｂ′は大容量で大，小型のブレード型ヒューズ３Ａ，３Ｂを収容できる大きさ及び形状にそれぞれ形成されている。アダプタケース１３がベース本体４に装着された状態では、各第２ヒューズキャビティ部１３ｂ，１３ｂ′内に大容量で大小型対応の中継端子１２Ａ，１２Ｂのヒューズ用中継端子部１２ｂ，１２ｂ′が配置されている。
【００３８】
上記構成において、ヒューズとしてヒュージブルリンク２Ａ，２Ｂを使用する場合には、図１、図５〜図８に示すように、中継端子１２Ａ，１２Ｂ及びアダプタケース１３を装着することなく大容量で大，小型のヒュージブルリンク２Ａ，２Ｂを直接にベース本体４の第１ヒューズキャビティ部６，７に装着する。これにより、ヒュージブルリンク２Ａ，２Ｂの一対のヒューズ側端子１０，１０が一対のベース側端子８，８に接続される。
【００３９】
ヒューズとしてブレード型ヒューズ３Ａ，３Ｂを使用する場合には、図２、図９〜図１２に示すように、先ず、ベース本体４の各ベース側端子８に大容量で大，小型対応の中継端子１２Ａ，１２Ｂを装着し、次に、ベース本体４にアダプタケース１３を装着する。そして、大容量で大，小型のブレード型ヒューズ３Ａ，３Ｂをアダプタケース１３の各第２ヒューズキャビティ部１３ｂ，１３ｂ′に装着する。これにより、各ブレード型ヒューズ３Ａ，３Ｂの一対のヒューズ側端子１１，１１が各中継端子１２Ａ，１２Ｂのヒューズ用中継端子部１２ｂ，１２ｂ′にそれぞれ接続され、ブレード型ヒューズ３Ａ，３Ｂは中継端子１２Ａ，１２Ｂを介してベース側端子８に接続される。
【００４０】
以上より、２種類のヒューズの外形形態及びその端子形態が異なる場合においても選択的に装着することができる。また、電気接続箱１のベース本体４側を共有化できるため、ベース本体４等の金型費、管理費等の部分でコストダウンを図ることができる。
【００４１】
図１３及び図１４は中継端子の第１変形例を示し、図１３はその中継端子の斜視図、図１４（ａ）は中継端子の平面図、図１４（ｂ）は中継端子の正面図、図１４（ｃ）は中継端子の側面図、図１４（ｄ）は図１４（ｂ）中Ａ−Ａ線に沿う断面図である。
【００４２】
図１３及び図１４に示すように、この第１変形例の中継端子２０は、前記第１実施形態の中継端子１２Ａ，１２Ｂと比較して、連結部１２ｃがベース用中継端子部１２ａ及びヒューズ用中継端子部１２ｂとほぼ同じ断面積を有するよう形成されている点が相違する。他の構成は同一であるため、同一構成部分に同一符号を付してその説明を省略する。
【００４３】
この第１変形例の中継端子２０では、連結部１２ｃが他の箇所と同程度の通電電流の許容値を有するため、強電用に適している。
【００４４】
図１５及び図１６は中継端子の第２変形例を示し、図１５はその中継端子の斜視図、図１６（ａ）は中継端子の平面図、図１６（ｂ）は中継端子の正面図、図１６（ｃ）は中継端子の側面図、図１６（ｄ）は図１６（ａ）中Ｂ−Ｂ線に沿う断面図、図１６（ｅ）は図１６（ｃ）中Ｃ−Ｃ線に沿う断面図である。
【００４５】
図１５及び図１６に示すように、この第２変形例の中継端子２１は、前記第１変形例の中継端子２０と比較して、ベース用中継端子部１２ａが音叉形状に形成され、ヒューズ用中継端子部１２ｂが弾性舌片形状に形成されている点が相違する。他の構成はほぼ同一であるため、同一構成部分に同一符号を付してその説明を省略する。
【００４６】
この第２変形例の中継端子２１は、簡易な構造であり、低コストで製造することができる。
【００４７】
図１７及び図１８は本発明の第２実施形態を示し、図１７はブレード型ヒューズを装着する場合を示す要部の分解斜視図、図１８はヒュージブルリンクを装着する場合を示す要部の分解斜視図である。
【００４８】
図１７及び図１８において、前記第１実施形態のベース本体４はヒュージブルリンク２Ａ，２Ｂを直接に装着できるものであったが、第２実施形態のベース本体２２はブレード型ヒューズ３を直接に装着できるように形成されている。つまり、第１ヒューズがブレード型ヒューズ３として、第２ヒューズがヒュージブルリンク２として、形成されている。そして、ヒュージブルリンク２を装着する場合において、中継端子２３とアダプタケース２４から成るヒューズ変換アダプタ２５をベース本体２２に取り付けて装着するようになっている。
【００４９】
従って、ベース本体２２のベース側端子２６及び第１ヒューズキャビティ部２７、中継端子２３のベース用中継端子部２３ａ及びヒューズ用中継端子部２３ｂ、アダプタケース２４の第２ヒューズキャビティ部２４ｂの各構成がそれに対応したものに変更されている。簡単に説明すると、ベース側端子２６はメス端子に、第１ヒューズキャビティ部２７はブレード型ヒューズ用に、中継端子２３のベース用中継端子部２３ａ及びヒューズ用中継端子部２３ｂが平板状のオス端子に、アダプタケース２４の第２ヒューズキャビティ部２４ｂがヒュージブルリンク用にそれぞれ形成されている。
【００５０】
上記構成において、ヒューズとしてブレード型ヒューズ３を使用する場合には、図１７に示すように、中継端子２３及びアダプタケース２４を装着することなくブレード型ヒューズ３を直接にベース本体２２の第１ヒューズキャビティ部２７に装着する。これにより、ブレード型ヒューズ３の一対のヒューズ側端子３ａ，３ａが一対のベース側端子２６，２６に接続される。
【００５１】
ヒューズとしてヒュージブルリンク２を使用する場合には、図１８に示すように、先ず、ベース本体２２の各ベース側端子２６に一対の中継端子２３，２３を装着し、次に、ベース本体２２にアダプタケース２４を装着する。そして、ヒュージブルリンク２をアダプタケース２４の各第２ヒューズキャビティ部２４ｂに装着する。これにより、ヒュージブルリンク２の一対のヒューズ側端子２ａ，２ａが中継端子２３のヒューズ用中継端子部２３ｂにそれぞれ接続され、ヒュージブルリンク２は中継端子２３を介してベース側端子２６に接続される。
【００５２】
以上より、２種類のヒューズの外形形態及びその端子形態が異なる場合においても選択的に装着することができる。電気接続箱のベース本体２２側を共有化できるため、ベース本体２２等の金型費、管理費等の部分でコストダウンを図ることができる。
【００５３】
尚、前記各実施形態では、第１及び第２ヒューズとして種類の異なるヒューズ（ヒュージブルリンクとブレード型ヒューズ）であったが、本発明は、同一種類のヒューズであっても外形寸法等の異なる場合に適用可能であり、また、ヒュージブルリンクとブレード型ヒューズ以外の種類のヒューズであっても適用することができる。さらに、前記各実施形態では、ヒューズ変換アダプタ５，２５の中継端子１２Ａ，１２Ｂ，２３とアダプタケース１３，２４が別体に形成されているが、中継端子１２Ａ，１２Ｂ，２３とアダプタケース１３，２４とを一体物として形成しても良く、このようにすれば第２ヒューズの装着時の作業性を向上させることができる。
【図面の簡単な説明】
【００５４】
【図１】本発明の第１実施形態を示し、ヒュージブルリンクを装着する場合を示す電気接続箱の分解斜視図である。
【図２】本発明の第１実施形態を示し、ブレード型ヒューズを装着する場合を示す電気接続箱の分解斜視図である。
【図３】本発明の第１実施形態を示し、大容量対応の中継端子の斜視図である。
【図４】本発明の第１実施形態を示し、（ａ）は大容量対応の中継端子の平面図、（ｂ）は同中継端子の正面図、（ｃ）は同中継端子の側面図である。
【図５】本発明の第１実施形態を示し、大容量で小型のヒュージブルリンクの装着前を示す断面図である。
【図６】本発明の第１実施形態を示し、大容量で小型のヒュージブルリンクの装着状態を示す断面図である。
【図７】本発明の第１実施形態を示し、大容量で大型のヒュージブルリンクの装着前を示す断面図である。
【図８】本発明の第１実施形態を示し、大容量で大型のヒュージブルリンクの装着状態を示す断面図である。
【図９】本発明の第１実施形態を示し、大容量で小型のブレード型ヒューズの装着前を示す断面図である。
【図１０】本発明の第１実施形態を示し、大容量で小型のブレード型ヒューズの装着状態を示す断面図を示す断面図である。
【図１１】本発明の第１実施形態を示し、大容量で大型のブレード型ヒューズの装着前を示す断面図である。
【図１２】本発明の第１実施形態を示し、大容量で大型のブレード型ヒューズの装着状態を示す断面図である。
【図１３】第１変形例の中継端子の斜視図である。
【図１４】（ａ）は第１変形例の中継端子の平面図、（ｂ）は第１変形例の中継端子の正面図、図（ｃ）は第１変形例の中継端子の側面図、図（ｄ）は図１４（ｂ）中Ａ−Ａ線に沿う断面図である。
【図１５】第２変形例の中継端子の斜視図である。
【図１６】（ａ）は第２変形例の中継端子の平面図、（ｂ）は第２変形例の中継端子の正面図、（ｃ）は第２変形例の中継端子の側面図、（ｄ）は図１６（ａ）中Ｂ−Ｂ線に沿う断面図、（ｅ）は図１６（ｃ）中Ｃ−Ｃ線に沿う断面図である。
【図１７】本発明の第２実施形態を示し、ブレード型ヒューズを装着する場合を示す要部の分解斜視図である。
【図１８】本発明の第２実施形態を示し、ヒュージブルリンクを装着する場合を示す要部の分解斜視図である。
【図１９】従来例を示し、ヒューズ保持構造の斜視図である。
【符号の説明】
【００５５】
１  電気接続箱
２Ａ  大容量で大型のヒュージブルリンク（第１ヒューズ）
２Ｂ  大容量で小型のヒュージブルリンク（第１ヒューズ）
３Ａ  大容量で大型のブレード型ヒューズ（第２ヒューズ）
３Ｂ  大容量で小型のブレード型ヒューズ（第２ヒューズ）
４  ベース本体
５  ヒューズ変換アダプタ
６  大容量で大型用の第１ヒューズキャビティ部
７  大容量で小型用の第１ヒューズキャビティ部
８  ベース側端子
１０  ヒューズ側端子
１１  ヒューズ側端子
１２Ａ  大容量で大型対応の中継端子
１２Ｂ  大容量で小型対応の中継端子
１２ａ  ベース用中継端子部
１２ｂ，１２ｂ′  ヒューズ用中継端子部
１２ｃ  連結部
１３  アダプタケース
１３ｂ，１３ｂ′  第２ヒューズキャビティ部
２０  中継端子
２１  中継端子
２２  ベース本体
２３  中継端子
２３ａ  ベース側中継端子部
２３ｂ  ヒューズ側中継端子部
２４  アダプタケース
２４ｂ  第２ヒューズキャビティ部
２５  ヒューズ変換アダプタ
２６  ベース側端子
２７  第１ヒューズキャビティ部
【図１】
2005209509.tif 000003
【図２】
2005209509.tif 000004
【図３】
2005209509.tif 000005
【図４】
2005209509.tif 000006
【図５】
2005209509.tif 000007
【図６】
2005209509.tif 000008
【図７】
2005209509.tif 000009
【図８】
2005209509.tif 000010
【図９】
2005209509.tif 000011
【図１０】
2005209509.tif 000012
【図１１】
2005209509.tif 000013
【図１２】
2005209509.tif 000014
【図１３】
2005209509.tif 000015
【図１４】
2005209509.tif 000016
【図１５】
2005209509.tif 000017
【図１６】
2005209509.tif 000018
【図１７】
2005209509.tif 000019
【図１８】
2005209509.tif 000020
【図１９】
2005209509.tif 000021